(57)【要約】【課題】送受する情報によって異なる通信端末装置を相手方として通信することができる通信端末装置を提供する。【解決手段】通信端末装置の制御部は、通信相手の通信端末装置Ａから送信された、送受する情報の一部を通信端末装置Ｂに切り替えて送受せよとの要求を受信して切り替えの制御動作を開始し（ステップＳ１１１ａ）、通信端末装置Ｂに発呼し（ステップＳ１１１ｂ）、上記一部の情報の送受を通信端末装置Ｂに切り替える（ステップＳ１１１ｆ）。【選択図】図１８
2008311855.tif 000002
【特許請求の範囲】
【請求項１】
第１のデータの送信または受信と、第２のデータの送信または受信とを行う送受信手段と、
前記送受信手段が第１の通信端末装置との間で前記第１のデータの送信または受信と、前記第２のデータの送信または受信とを行っている際に、前記第１のデータの送信または受信を第２の通信端末装置との間に切り替えよとの前記第１の通信端末装置から送信された要求が受信された場合、前記送受信手段を制御して、前記第１のデータの送信または受信を前記第２の通信端末装置との間に切り替えて行わせる制御手段とを有する
ことを特徴とする通信端末装置。
【請求項２】
カメラと、
前記カメラによって入力された映像データを符号化する映像符号化手段と、
マイクロフォンと、
前記マイクロフォンによって入力された音声データを符号化する音声符号化手段と、
前記映像符号化手段によって符号化された映像データを送信し、前記音声符号化手段によって符号化された音声データを送信し、符号化された映像データを受信し、更に、符号化された音声データを受信する送受信手段と、
前記送受信手段によって受信された符号化された映像データを復号する映像復号手段と、
前記映像復号手段によって復号された映像データから映像を表示する表示手段と、
前記送受信手段によって受信された符号化された音声データを復号する音声復号手段と、
前記音声復号手段によって復号された音声データから音声を発生するスピーカと、
前記送受信手段が第１の通信端末装置との間で前記符号化された映像データを送信し、前記符号化された音声データを送信し、前記符号化された映像データを受信し、更に、前記符号化された音声データを受信している際に、前記符号化された映像データの送信、前記符号化された音声データの送信、前記符号化された映像データの受信、及び、前記符号化された音声データの受信の４つの動作の中の少なくとも１つの動作を第２の通信端末装置との間に切り替えよとの前記第１の通信端末装置から送信された要求が受信された場合、前記送受信手段を制御して、前記要求された動作を第２の通信端末装置との間に切り替えて行わせる制御手段とを有する
ことを特徴とする通信端末装置。
【請求項３】
前記制御手段は、前記符号化された映像データの送信の動作を第２の通信端末装置との間に切り替えよとの要求が受信された際、前記映像符号化手段を制御して、前記映像符号化手段が前記符号化された映像データをフレーム単位でリフレッシュする場合、前記カメラによって入力される映像データの少なくとも次の１フレームをフレーム内符号化させ、一方、前記映像符号化手段が前記符号化された映像データをマクロブロック単位でリフレッシュする場合、少なくとも全てのマクロブロックがリフレッシュされる迄、前記カメラによって入力される映像データを前記切り替え前のリフレッシュ周期より短いリフレッシュ周期でリフレッシュさせる
ことを特徴とする請求項２に記載の通信端末装置。
【請求項４】
第１のデータの送信または受信と、第２のデータの送信または受信とを行う送受信手段と、
前記送受信手段が第１の通信端末装置との間で前記第１のデータの送信または受信と、前記第２のデータの送信または受信を行っている際に、前記第１の通信端末装置へ、前記第１のデータの送信または受信を第２の通信端末装置との間に切り替えよとの要求を送信し、前記送受信手段を制御して、前記第１のデータの送信または受信を停止させる制御手段と
を有する
ことを特徴とする通信端末装置。
【請求項５】
前記送受信手段は、前記第１の通信端末装置から送信された映像データの受信を行い、
前記送受信手段によって受信された映像データを表示する表示手段を更に有し、
前記制御手段は、前記映像データの送信を第２の通信端末装置への送信に切り替えよとの要求の送信に際し、前記送受信手段に指示して、前記表示手段に表示されている映像データを前記第２の通信端末装置に送信させる
ことを特徴とする請求項４に記載の通信端末装置。
【発明の詳細な説明】
【技術分野】
【０００１】
本発明は、通信端末装置に係り、特に、１台の通信端末装置が複数台の通信端末装置と通信する処理に関する。
【背景技術】
【０００２】
複数の種類の情報の送受による通信、例えば、映像情報と音声情報の送受によるテレビ電話通信が知られている。テレビ電話に用いられる通信端末装置は、送信映像を入力するカメラを含む映像入力部と、受信映像を表示する表示部と、送信音声を入力するマイクロフォンを含む音声入力部と、受信音声を出力するスピーカとを備える。
【０００３】
しかし、これらの４つの部位の全てがその通信に適した性能を有しない場合がある。例えば、移動通信端末装置は、携帯に適するように設計され、表示部は小さい。そこで、複数の使用者が表示部に表示される受信映像を見ることが必要なテレビ電話通信の場合、大きい表示部を備えたテレビまたはパソコンを、映像を受信する通信端末装置として用いることが好まれる。
【０００４】
そこで、移動通信端末装置がテレビ電話の通信を行い、その装置の表示部は、大きい表示が可能であり、かつ、その移動通信端末装置から分離可能にすることが知られている。分離可能にすることにより、装置を携帯する際は表示部を分離し、テレビ電話通信を行う際は表示部を電気的に接続する。また、通信端末装置、例えば、移動通信端末装置が行っていたテレビ電話通信のセッションを異なる通信端末装置に転送する処理が知られている（例えば、特許文献１参照。）。
【特許文献１】特開２００４−２４８１６５号公報（第２−３、図１）
【発明の開示】
【発明が解決しようとする課題】
【０００５】
しかしながら、表示部を移動通信端末装置から分離可能にする方法によれば、任意の表示部を選択して受信映像を表示させることができない問題点があった。また、上述した特許文献１に開示されている方法では、通信セッションの相手方を複数の通信端末装置とすることができない問題点があった。即ち、複数の通信端末装置の部位であって、通信に適した性能を有する部位を選択して用いることができない問題点があった。
【０００６】
本発明は、上記問題点を解決するためになされたもので、送受する情報によって異なる通信端末装置を相手方として通信することができる通信端末装置を提供することを目的とする。
【課題を解決するための手段】
【０００７】
上記目的を達成するために、本発明の通信端末装置は、第１のデータの送信または受信と、第２のデータの送信または受信とを行う送受信手段と、前記送受信手段が第１の通信端末装置との間で前記第１のデータの送信または受信と、前記第２のデータの送信または受信とを行っている際に、前記第１のデータの送信または受信を第２の通信端末装置との間に切り替えよとの前記第１の通信端末装置から送信された要求が受信された場合、前記送受信手段を制御して、前記第１のデータの送信または受信を前記第２の通信端末装置との間に切り替えて行わせる制御手段とを有することを特徴とする。
【発明の効果】
【０００８】
本発明によれば、送受する情報によって異なる通信端末装置を相手方として通信することができる。
【発明を実施するための最良の形態】
【０００９】
以下に、本発明による通信端末装置の実施の形態を、図面を参照して説明する。図１は、本発明の実施の形態に係る通信端末装置が含まれる通信システムの構成を示すブロック図である。
【００１０】
この通信システムは、本発明の実施形態に係る通信端末装置が適用された、第１の移動通信端末装置ＭＳ１及び第２の移動通信端末装置ＭＳ２と、本発明の実施形態に係る通信端末装置が適用された、パソコン装置ＰＣとが通信網ＮＷを介して接続されている。
【００１１】
通信網ＮＷは、移動通信網ＮＷ１と、インターネット網ＮＷ２とから構成され、互いにデータの授受が可能な状態で接続されている。第１の移動通信端末装置ＭＳ１と、第２の移動通信端末装置ＭＳ２とは、移動通信網ＮＷ１に接続され、パソコン装置ＰＣは、インターネット網ＮＷ２に接続されている。
【００１２】
図２は、第ｉの移動通信端末装置ＭＳｉ（ここで、ｉは、１または２。以後、ｉの取り得る値の説明を省略する。）の構成を示すブロック図である。この第ｉの移動通信端末装置ＭＳｉは、装置全体の制御を行う制御部１１と、セッション状況記憶部１１ａと、移動通信網ＮＷ１に接続されるアンテナ１２ａと、移動通信網通信部１２ｂと、送受信部１３と、受話用のスピーカ１４ａと、送話用のマイクロフォン１４ｂと、通話部１４ｃと、表示部１５と、入力装置１６と、符号化部１７と、テレビ電話用のカメラ１７ａと、テレビ電話用のマイクロフォン１７ｂと、復号部１８と、テレビ電話用のスピーカ１８ａとを備えている。セッション状況記憶部１１ａには、セッション状況１１ｂが記憶される。
【００１３】
図３は、第ｉの移動通信端末装置ＭＳｉの送受信部１３の詳細な構成を示すブロック図である。送受信部１３は、送信部１３ａと、受信部１３ｂとを備えている。送信部１３ａは、符号化部１７と接続されるネットワーク送信部１３ｃと、制御部１１、移動通信網通信部１２ｂ及び通話部１４ｃと接続される変調部１３ｄと、符号化部１７と接続される伝送帯域遅延管理部１３ｅとを備え、一方、受信部１３ｂは、制御部１１、移動通信網通信部１２ｂ及び通話部１４ｃと接続される復調部１３ｆと、復号部１８と接続されるネットワーク受信部１３ｇとを備えている。
【００１４】
図４は、第ｉの移動通信端末装置ＭＳｉの符号化部１７の詳細な構成を示すブロック図である。符号化部１７は、映像符号化部１７ｃと、音声符号化部１７ｄとを備え、一方、映像符号化部１７ｃは、制御部１１及び送受信部１３に接続され、映像符号化部１７ｃ内の各部を制御する映像符号化制御部１７ｅと、カメラ１７ａに接続される映像データ入力部１７ｆと、映像データ符号化部１７ｇと、送受信部１３に接続される映像データ選択部１７ｈと、リフレッシュ方式管理部１７ｉと、映像フレーム時刻管理部１７ｊと、符号化映像データバッファ１７ｋとを備えている。
【００１５】
符号化映像データバッファ１７ｋには、符号化映像データが記憶される。符号化映像データは、映像データ符号化部１７ｇによって符号化された映像データである。
【００１６】
音声符号化部１７ｄは、制御部１１に接続され、音声符号化部１７ｄ内の各部を制御する音声符号化制御部１７ｍと、マイクロフォン１７ｂに接続される音声データ入力部１７ｎと、送受信部１３に接続される音声データ符号化部１７ｏとを備えている。なお、図４で、太実線矢印は映像データまたは音声データの流れを示し、点線矢印は情報の参照関係を示し、実線矢印は制御の流れを示す。
【００１７】
図５は、第ｉの移動通信端末装置ＭＳｉの復号部１８の詳細な構成を示すブロック図である。復号部１８は、映像復号部１８ｂと、音声復号部１８ｃとを備え、一方、映像復号部１８ｂは、制御部１１に接続され、映像復号部１８ｂ内の各部を制御する映像復号制御部１８ｄと、送受信部１３に接続される映像データ復号部１８ｅと、表示部１５に接続される映像データ出力部１８ｆとを備えている。
【００１８】
音声復号部１８ｃは、制御部１１に接続され、音声復号部１８ｃの各部を制御する音声復号制御部１８ｇと、送受信部１３に接続される音声データ復号部１８ｈと、スピーカ１８ａに接続される音声データ出力部１８ｉとを備えている。なお、図５で、太実線矢印は映像データまたは音声データの流れを示し、実線矢印は制御の流れを示す。
【００１９】
図６は、パソコン装置ＰＣの構成を示すブロック図である。このパソコン装置ＰＣは、第ｉの移動通信端末装置ＭＳｉと同じ部分を含む。そこで、同じ部分には、同じ符号を付して説明を省略する。パソコン装置ＰＣは、装置全体の制御を行う制御部１１と、セッション状況記憶部１１ａと、インターネット網ＮＷ２に接続されるインターネット網通信部３２と、送受信部１３と、表示部１５と、入力装置１６と、映像符号化部３７と、カメラ１７ａと、映像復号部３８とを備えている。セッション状況記憶部１１ａには、セッション状況１１ｂが記憶される。
【００２０】
なお、第ｉの移動通信端末装置ＭＳｉと同じ部分は、同じ機能を有するが、軽微な差異を有する場合もある。例えば、パソコン装置ＰＣの制御部１１は、第ｉの移動通信端末装置ＭＳｉが有し、パソコン装置ＰＣが有さない部分の制御機能を有しない。また、パソコン装置ＰＣの送受信部１３は、第ｉの移動通信端末装置ＭＳｉが有し、パソコン装置ＰＣが有さない通話部１４ｃとの通信機能を有しない。
【００２１】
また、パソコン装置ＰＣの表示部１５は、第ｉの移動通信端末装置ＭＳｉの表示部１５と比較して、画面の大きさが大きい。更に、パソコン装置ＰＣの入力装置１６は、第ｉの移動通信端末装置ＭＳｉの入力装置１６と比較して、キーの数が多い。これらの差異は、本実施形態に影響を及ぼさないので、同じとみなし、適宜差異を説明するに止める。
【００２２】
図７は、パソコン装置ＰＣの送受信部１３の詳細な構成を示すブロック図である。この送受信部１３は、既に説明した第ｉの移動通信端末装置ＭＳｉの送受信部１３と同じであり、同じ符号を付して説明を省略する。
【００２３】
ただし、変調部１３ｄ及び復調部１３ｆは、制御部１１と接続され、更に、移動通信網通信部１２ｂに代えてインターネット網通信部３２と接続される。また、ネットワーク送信部１３ｃ及び伝送帯域遅延管理部１３ｅは、符号化部１７に代えて映像符号化部３７と接続される。更に、ネットワーク受信部１３ｇは、復号部１８に代えて映像復号部３８と接続される。
【００２４】
図８は、映像符号化部３７の詳細な構成を示すブロック図である。映像符号化部３７は、既に説明した第ｉの移動通信端末装置ＭＳｉの符号化部１７の映像符号化部１７ｃと同じであり、同じ符号を付して説明を省略する。図９は、映像復号部３８の詳細な構成を示すブロック図である。映像復号部３８は、既に説明した第ｉの移動通信端末装置ＭＳｉの復号部１８の映像復号部１８ｂと同じであり、同じ符号を付して説明を省略する。
【００２５】
上記のように構成された、本発明の実施形態に係る通信端末装置が含まれる通信システムの各部の動作を、まず、第ｉの移動通信端末装置ＭＳｉの各部の動作から、図２ないし図５を参照して説明する。移動通信網通信部１２ｂは、移動通信網ＮＷ１から送信され、アンテナ１２ａが受信した高周波信号を送受信部１３へ送り、また、送受信部１３から送られた高周波信号をアンテナ１２ａより移動通信網ＮＷ１へ送信する。
【００２６】
次に、送受信部１３の動作を説明する。ネットワーク送信部１３ｃは、符号化部１７の映像データ選択部１７ｈによって送られた映像データ及び符号化部１７の音声データ符号化部１７ｏによって符号化されたテレビ電話音声データを受信して、そのデータからパケット化された映像データと、パケット化されたテレビ電話音声データを作成する。図３で、符号化部１７から太実線矢印が２本ネットワーク送信部１３ｃに向かっていることは、映像データと、音声データとが符号化部１７から送信されることを示す。
【００２７】
変調部１３ｄは、ネットワーク送信部１３ｃによって作成されたパケット化された映像データ及びテレビ電話音声データ、制御部１１から送られる制御信号、及び通話部１４ｃから送られる通話音声データを変調、周波数変換及び増幅し、高周波信号を得て、それを移動通信網通信部１２ｂに送って移動通信網ＮＷ１に送信させる。データの送信先は、制御部１１と、符号化部１７からの指示に従う。
【００２８】
伝送帯域遅延管理部１３ｅは、変調部１３ｄと移動通信網通信部１２ｂとの通信状況を参照し、自装置が装置外へデータを送信するにあたり、通信網ＮＷでの伝送の際に割り当てられている伝送帯域及び送信要求から送信実行までの遅延時間を把握する。この遅延時間は、例えば、ＲＴＣＰプロトコルの使用によって得られる。
【００２９】
復調部１３ｆは、移動通信網通信部１２ｂからの高周波信号を増幅、周波数変換及び復調し、それによって得られたパケット化された映像データ及びテレビ電話音声データをネットワーク受信部１３ｇに、制御信号を制御部１１に、通話音声データを通話部１４ｃに送る。データの送信元は、制御部１１と、復号部１８からの指示に従う。指示のない送信元からのデータは、破棄する。
【００３０】
ネットワーク受信部１３ｇは、復調部１３ｆによって得られたパケット化された映像データ及びパケット化されたテレビ電話音声データから、映像データ及びテレビ電話音声データを作成する。図３で、ネットワーク受信部１３ｇから太実線矢印が２本符号化部１７に向かっていることは、映像データと、音声データとがネットワーク受信部１３ｇから送信されることを示す。
【００３１】
通話部１４ｃは、送受信部１３から送られるディジタル音声データをアナログ音声データに変換し、それを増幅してスピーカ１４ａに送る。また、マイクロフォン１４ｂによって入力されたアナログ音声データを増幅し、それをディジタル音声データに変換して送受信部１３に送信する。
【００３２】
表示部１５は、制御部１１に制御されることで、文字・数字や映像データの表示動作を行い、表示されているデータは、入力装置１６からの入力操作や着信信号に応答して制御部１１からの指示を受けることで切換わる。
【００３３】
入力装置１６は、通信相手の電話番号などを指定するための数字キーと複数の機能キーを含むキーからなる。そして、入力装置１６のキーが操作されると、そのキーの識別子が制御部１１に通知され、制御部１１によって、表示部１５に文字として表示され、または、制御が行われる。
【００３４】
次に、符号化部１７の各部の動作を説明する。映像データ入力部１７ｆは、カメラ１７ａによって撮影され、入力された映像データを受信して、その映像データから所定の時間間隔で連続する静止画（フレーム）を作成する。映像データ符号化部１７ｇは、映像データ入力部１７ｆによって作成されたフレームを符号化する。この符号化は、例えば、ＭＰＥＧ方式や、Ｈ．２６４方式によって行われるが、これに限るものではない。そして、映像データ符号化部１７ｇは、符号化された映像データを符号化映像データバッファ１７ｋに記憶させる。
【００３５】
映像データ符号化部１７ｇは、符号化された映像データのリフレッシュをフレーム単位及びマクロブロック単位のいずれか一方で行う。フレーム単位のリフレッシュとは、所定の一定時間間隔のフレームをフレーム内符号化し、それ以外のフレームをフレーム間符号化する方式である。
【００３６】
また、マクロブロック単位のリフレッシュとは、各フレームをマクロブロックに分割し、各フレームで、一部分のマクロブロックをフレーム内符号化し、それ以外のマクロブロックをフレーム間符号化する。そして、フレーム内符号化するマクロブロックを、時間的に連続する各フレームで順次異なる部分とする方式である。
【００３７】
映像データ選択部１７ｈは、映像データ符号化部１７ｇによって符号化された映像データを送受信部１３に送る。また、符号化映像データバッファ１７ｋから指定された符号化映像データを読み出して、送受信部１３に送る。
【００３８】
リフレッシュ方式管理部１７ｉは、映像データ符号化部１７ｇが符号化された映像データのリフレッシュをフレーム単位及びマクロブロック単位のどちらで行っているかを管理し、通知する。
【００３９】
映像フレーム時刻管理部１７ｊは、映像データ符号化部１７ｇによる映像データのリフレッシュ状況を把握し、通知する。まず、映像データ符号化部１７ｇが映像データのリフレッシュをフレーム単位で行っている場合の動作を、図１０を参照して説明する。映像フレーム時刻管理部１７ｊは、リフレッシュ周期、即ち、映像データ符号化部１７ｇがフレーム内符号化を行う時間間隔を把握し、通知する。更に、映像フレーム時刻、即ち、直近の過去に映像データ符号化部１７ｇがフレーム内符号化を行ってから、現在時刻に至るまでの時間を把握し、通知する。
【００４０】
一方、映像データ符号化部１７ｇが映像データのリフレッシュをマクロブロック単位で行っている場合の動作を、図１１を参照して説明する。映像フレーム時刻管理部１７ｊは、リフレッシュ周期、即ち、あるマクロブロックがフレーム内符号化される時間間隔、言い換えると、全てのマクロブロックが１回ずつフレーム内符号化されるのに要する時間を把握し、通知する。
【００４１】
図１１に示す一例は、マクロブロックが第１のグループから第９のグループまでの９つのグループに分けられ、時間的に連続するフレームで、それらの各グループのマクロブロックが順次フレーム内符号化されることを示す。そして、最初に符号化されたフレームでは、第１のグループのマクロブロックがフレーム内符号化されたとする。
【００４２】
更に、映像フレーム時刻管理部１７ｊは、映像フレーム時刻を把握し、通知する。ここで、マクロブロック単位のリフレッシュがされている場合の映像フレーム時刻とは、最初に符号化されたフレームでフレーム内符号化されたマクロブロック（図１１に示す一例では、第１のグループのマクロブロック。）が直近の過去にフレーム内符号化された時刻から現在時刻に至るまでの時間である。
【００４３】
音声データ入力部１７ｎは、マイクロフォン１７ｂによって入力された音声データを受信して、その音声データを所定の時間間隔で分割した音声データを作成する。音声データ符号化部１７ｏは、音声データ入力部１７ｎによって分割された音声データをＡＡＣ方式によって符号化して、送受信部１３に送る。なお、符号化方式は、ＡＡＣ方式に限るものではない。
【００４４】
次に、復号部１８の各部の動作を説明する。映像データ復号部１８ｅは、送受信部１３から送られた符号化された映像データを復号する。映像データ出力部１８ｆは、映像データ復号部１８ｅによって復号された映像データを表示部１５に表示させる。
【００４５】
音声データ復号部１８ｈは、送受信部１３から送られた符号化された音声データを復号する。音声データ出力部１８ｉは、音声データ復号部１８ｈによって復号された音声をスピーカ１８ａから発生させる。
【００４６】
次に、パソコン装置ＰＣの各部の動作を、図６ないし図９を参照して説明する。インターネット網通信部３２は、インターネット網ＮＷ２から受信された高周波信号を送受信部１３へ送り、また、送受信部１３から送られた高周波信号をインターネット網ＮＷ２へ送信する。
【００４７】
パソコン装置ＰＣの送受信部１３の動作は、既に説明した第ｉの移動通信端末装置ＭＳｉの送受信部１３の動作と同じである。ただし、パソコン装置ＰＣの送受信部１３は、通話音声データを処理しない。更に、テレビ電話音声データを処理しない。映像符号化部３７の動作は、既に説明した映像符号化部１７ｃの動作と同じである。また、映像復号部３８の動作は、既に説明した映像復号部１８ｂの動作と同じである。
【００４８】
以下、本実施形態に係る第１の移動通信端末装置ＭＳ１、第２の移動通信端末装置ＭＳ２及びパソコン装置ＰＣにおける、１つの通信セッションで送受される情報の種類毎に相手方の通信端末装置を切り替える動作を説明する。
【００４９】
なお、以下の説明では、第１の移動通信端末装置ＭＳ１と、第２の移動通信端末装置ＭＳ２とがテレビ電話中、即ち、お互いに映像データの送受及び音声データの送受中に、第２の移動通信端末装置ＭＳ２が、自らが行っていた第１の移動通信端末装置ＭＳ１との映像データの送受をパソコン装置ＰＣに切り替えて行わせる動作を例に取る。
【００５０】
図１２は、セッション状況１１ｂの構成の一例を示す。このセッション状況１１ｂは、セッション識別子１１ｃと、そのセッション識別子１１ｃと関連付けられた４組の通信種別１１ｄ及び相手方通信端末装置１１ｅとからなる。なお、図１２では、セッション識別子１１ｃと、通信種別１１ｄと、相手方通信端末装置１１ｅとが隣接して記憶されるように図示したが、これは一例であって、これに限るものではない。
【００５１】
セッション識別子１１ｃは、通信セッションを識別する情報である。通信種別１１ｄは、セッション識別子１１ｃによって識別される通信セッションにおいて、通信される情報の種類と、その情報が送信されるか受信されるかを示す。図１２に示す例では、通信セッションは、テレビ電話であり、通信種別１１ｄには、「映像送信」、「映像受信」、「音声送信」及び「音声受信」の４つの情報が含まれる。相手方通信端末装置１１ｅは、それぞれの通信種別１１ｄについての通信相手を識別する情報である。
【００５２】
そして、この図１２は、第１の移動通信端末装置ＭＳ１と、第２の移動通信端末装置ＭＳ２とがテレビ電話中の、第１の移動通信端末装置ＭＳ１のセッション状況１１ｂを示す。そこで、全ての通信種別１１ｄについての相手方通信端末装置１１ｅは、「第２の移動通信端末装置」、即ち、第１の移動通信端末装置ＭＳ１は、全ての通信種別１１ｄについて第２の移動通信端末装置ＭＳ２と通信中であることを示す。
【００５３】
図１３は、第１の移動通信端末装置ＭＳ１と、第２の移動通信端末装置ＭＳ２とがテレビ電話中に、第２の移動通信端末装置ＭＳ２のセッション状況１１ｂを示し、全ての通信種別１１ｄについての相手方通信端末装置１１ｅは、「第１の移動通信端末装置」、即ち、第２の移動通信端末装置ＭＳ２は、全ての通信種別１１ｄについて第１の移動通信端末装置ＭＳ１と通信中であることを示す。
【００５４】
図１４は、第１の移動通信端末装置ＭＳ１と、第２の移動通信端末装置ＭＳ２とがテレビ電話中に、第２の移動通信端末装置ＭＳ２が、自らが行っていた第１の移動通信端末装置ＭＳ１との映像データの送受をパソコン装置ＰＣに切り替えて行わせた後の第１の移動通信端末装置ＭＳ１のセッション状況１１ｂを示す。
【００５５】
即ち、「映像送信」及び「映像受信」である通信種別１１ｄに対応する相手方通信端末装置１１ｅは「パソコン装置」であり、「音声送信」及び「音声受信」である通信種別１１ｄに対応する相手方通信端末装置１１ｅは「第２の移動通信端末装置」である。これによって、第１の移動通信端末装置ＭＳ１は、映像データの送受をパソコン装置ＰＣと行い、音声データの送受を第２の移動通信端末装置ＭＳ２と行っていることが示されている。
【００５６】
図１５は、上記切り替え後の第２の移動通信端末装置ＭＳ２のセッション状況１１ｂを示す。即ち、「映像送信」及び「映像受信」である通信種別１１ｄに対応する相手方通信端末装置１１ｅは「（別装置）」であり、「音声送信」及び「音声受信」である通信種別１１ｄに対応する相手方通信端末装置１１ｅは「第１の移動通信端末装置」である。これによって、第２の移動通信端末装置ＭＳ２は、映像データの送受を行わず、音声データの送受を第１の移動通信端末装置ＭＳ１と行っていることが示されている。
【００５７】
ここで、第２の移動通信端末装置ＭＳ２は、映像データの送受をいずれの装置とも行わないが、「映像送信」及び「映像受信」である通信種別１１ｄに対応する相手方通信端末装置１１ｅは「（別装置）」であることから、第２の移動通信端末装置ＭＳ２が音声データの送受を行う第１の移動通信端末装置ＭＳ１は、第２の移動通信端末装置ＭＳ２以外の装置（この例では、パソコン装置ＰＣ。）と映像データの送受を行っていることを示す。
【００５８】
なお、もし、第１の移動通信端末装置ＭＳ１は、映像データの送受を行わない、即ち、セッション識別子１１ｃによって識別される通信セッションは、第１の移動通信端末装置ＭＳ１と、第２の移動通信端末装置ＭＳ２との間でお互いに行われる音声データの送受のみであれば、第２の移動通信端末装置ＭＳ２のセッション状況１１ｂで、「映像送信」及び「映像受信」である通信種別１１ｄに対応する相手方通信端末装置１１ｅには、情報が記憶されない。
【００５９】
図１６は、上記切り替え後のパソコン装置ＰＣのセッション状況１１ｂを示す。即ち、「映像送信」及び「映像受信」である通信種別１１ｄに対応する相手方通信端末装置１１ｅは「第１の移動通信端末装置」であり、「音声送信」及び「音声受信」である通信種別１１ｄに対応する相手方通信端末装置１１ｅは「（別装置）」である。これによって、パソコン装置ＰＣは、映像データの送受を第１の移動通信端末装置ＭＳ１と行い、音声データの送受を行わないことが示されている。
【００６０】
ここで、「音声送信」及び「音声受信」である通信種別１１ｄに対応する相手方通信端末装置１１ｅは「（別装置）」であることから、パソコン装置ＰＣは、音声データの送受を行わないが、パソコン装置ＰＣが音声データの送受を行う第１の移動通信端末装置ＭＳ１は、パソコン装置ＰＣ以外の装置（この例では、第２の移動通信端末装置ＭＳ２。）と音声データの送受を行っていることが示されていることは、上述した通りである。
【００６１】
図１７は、第１の移動通信端末装置ＭＳ１と、第２の移動通信端末装置ＭＳ２とがテレビ電話中に、第２の移動通信端末装置ＭＳ２が、自らが行っていた第１の移動通信端末装置ＭＳ１との映像データの送受をパソコン装置ＰＣに切り替えて行わせる際の、第２の移動通信端末装置ＭＳ２の制御部１１の制御動作のフローチャートを示す。
【００６２】
第２の移動通信端末装置ＭＳ２の制御部１１は、第１の移動通信端末装置ＭＳ１とテレビ電話中に、第２の移動通信端末装置ＭＳ２の入力装置１６の所定のキー操作によって、自らが行っていた第１の移動通信端末装置ＭＳ１との映像データの送受をパソコン装置ＰＣに切り替えて行わせる動作を開始する。ここで、第２の移動通信端末装置ＭＳ２の制御部１１は、第２の移動通信端末装置ＭＳ２の入力装置１６の所定のキー操作によって、パソコン装置ＰＣとの通信を行うために必要な、パソコン装置ＰＣを識別する情報を得る（ステップＳ２１１ａ）。
【００６３】
以後、図１７を参照して第２の移動通信端末装置ＭＳ２の制御部１１の動作を説明する際、制御部１１などの各部は、特に断らない限り、第２の移動通信端末装置ＭＳ２の各部を示す。
【００６４】
続いて、制御部１１は、パソコン装置ＰＣを識別する情報をパラメータとして上記切り替え要求を第１の移動通信端末装置ＭＳ１に送信し（ステップＳ２１１ｂ）、その要求に対して、第１の移動通信端末装置ＭＳ１から切り替え完了の通知を受信したか否かを調べる（ステップＳ２１１ｃ）。その通知を所定の時間が経過する間に受信しない場合、制御部１１は、ステップＳ２１１ｃの上記通知を受信したか否かを調べる動作を繰り返す。
【００６５】
一方、切り替え完了の通知を受信した場合、制御部１１は、セッション状況１１ｂを上記切り替えが完了した状況を示すように更新する（ステップＳ２１１ｄ）。即ち、切り替え前には、図１３に示す、第１の移動通信端末装置ＭＳ１と映像データの送受及び音声データの送受を行っていることを示すものであったが、切り替え後には、図１５に示す、第１の移動通信端末装置ＭＳ１と音声データの送受を行い、第１の移動通信端末装置ＭＳ１は、第２の移動通信端末装置ＭＳ２以外の装置と映像データの送受を行っている状況を示すものに更新する。
【００６６】
次に、制御部１１は、映像符号化制御部１７ｅと、映像復号制御部１８ｄとを制御して、それぞれ映像符号化部１７ｃの動作を停止させ、映像復号部１８ｂの動作を停止させ（ステップＳ２１１ｅ）、切り替えの制御動作を終了する（ステップＳ２１１ｆ）。
【００６７】
なお、ステップＳ２１１ｅの動作を停止させる制御の際、制御部１１は、映像符号化部１７ｃの符号化及び第１の移動通信端末装置ＭＳ１への映像データの送信動作は、所定の時間に渡って継続させた後、停止させても良い。また、映像復号部１８ｂの第１の移動通信端末装置ＭＳ１からの映像データの受信及び復号動作は、送受信部１３が第１の移動通信端末装置ＭＳ１から送信された映像データを受信する限り継続させ、受信されなくなって所定の時間が経過した際に停止させても良い。
【００６８】
この、所定の時間に渡って映像符号化部１７ｃと、映像復号部１８ｂの動作を継続させることにより、パソコン装置ＰＣによる映像データの送受が行われるまでの間、第２の移動通信端末装置ＭＳ２が映像データの送受を継続することができる。そのため、第１の移動通信端末装置ＭＳ１に映像が表示されないことを避け、更に、第２の移動通信端末装置ＭＳ２及びパソコン装置ＰＣの両方に映像が表示されないことを避けることができ、使用者に違和感を与えることを避けることができる。
【００６９】
また、制御部１１は、上記の第１の移動通信端末装置ＭＳ１との通信に先だって、または、並行して、表示部１５に表示されている映像（静止画となる。）、または、映像復号部１８ｂ内の映像データバッファ（図示せず）に記憶された受信された符号化された映像データをパソコン装置ＰＣに送信し、パソコン装置ＰＣの表示部１５に表示させても良い。これによれば、第２の移動通信端末装置ＭＳ２の表示部１５と、パソコン装置ＰＣの表示部１５のいずれにも映像が表示されないことによる違和感を使用者に与えることがない。
【００７０】
なお、制御部１１は、映像データバッファに記憶された符号化された映像データであって、例えば、直近の過去にフレーム内符号化された映像データと、その映像データ以降に表示される符号化された映像データ（複数の符号化された映像データであるため、動画像となる。）を送信する
図１８は、第１の移動通信端末装置ＭＳ１と、第２の移動通信端末装置ＭＳ２とがテレビ電話中に、第２の移動通信端末装置ＭＳ２が、自らが行っていた第１の移動通信端末装置ＭＳ１との映像データの送受をパソコン装置ＰＣに切り替えて行わせる際の、第１の移動通信端末装置ＭＳ１の制御部１１の制御動作のフローチャートを示す。
【００７１】
第１の移動通信端末装置ＭＳ１の制御部１１は、第２の移動通信端末装置ＭＳ２から送信された、パソコン装置ＰＣを識別する情報をパラメータとする上記切り替え要求を受信して、第２の移動通信端末装置ＭＳ２と行っていた映像データの送受をパソコン装置ＰＣに切り替える動作を開始する（ステップＳ１１１ａ）。以後、図１８を参照して第１の移動通信端末装置ＭＳ１の制御部１１の動作を説明する際、制御部１１などの各部は、特に断らない限り、第１の移動通信端末装置ＭＳ１の各部を示す。
【００７２】
続いて、制御部１１は、切り替え先の通信端末装置（この場合、パソコン装置ＰＣ。）に発呼し（ステップＳ１１１ｂ）、呼が接続されたか否かを調べる（ステップＳ１１１ｃ）。所定時間に渡って呼が接続されない場合、制御部１１は、再びステップＳ１１１ｂの発呼動作に移る。
【００７３】
ここで、発呼及び呼の接続などの用語は、第１の移動通信端末装置ＭＳ１と、パソコン装置ＰＣとの間は、移動通信網ＮＷ１によって接続されることを必ずしも意味しない。インターネット網ＮＷ２によって接続されていても良く、または、移動通信網ＮＷ１及びインターネット網ＮＷ２によって接続されていても良い。
【００７４】
パソコン装置ＰＣが移動通信網ＮＷ１に接続されている場合、パソコン装置ＰＣを識別する情報は、例えば、その装置の電話番号である。また、パソコン装置ＰＣがインターネット網ＮＷ２に接続されている場合、パソコン装置ＰＣを識別する情報は、例えば、その装置のＩＰアドレスである。
【００７５】
そして、第１の移動通信端末装置ＭＳ１が移動通信網ＮＷ１に接続され、パソコン装置ＰＣがインターネット網ＮＷ２に接続されている場合、制御部１１は、パソコン装置ＰＣを識別する情報をパラメータに、移動通信網ＮＷ１と、インターネット網ＮＷ２との双方に接続されたゲートウェイ装置（図示せず）に対して上記発呼動作を行う。
【００７６】
一方、ステップＳ１１１ｃで、呼が接続された場合、制御部１１は、パソコン装置ＰＣに、切り替え内容を送信する。即ち、第１の移動通信端末装置ＭＳ１と、パソコン装置ＰＣとの間で映像データの送受を行うことを送信する（ステップＳ１１１ｄ）。そして、セッション状況１１ｂを上記切り替えが完了した状況を示すように更新する（ステップＳ１１１ｅ）。
【００７７】
即ち、切り替え前には、図１２に示す、第２の移動通信端末装置ＭＳ２と映像データの送受及び音声データの送受を行っていることを示すものであったが、切り替え後には、図１４に示す、第２の移動通信端末装置ＭＳ２と音声データの送受を行い、パソコン装置ＰＣと映像データの送受を行っている状況を示すものに更新する。
【００７８】
ここで、呼が接続された場合、第２の移動通信端末装置ＭＳ２の間と、パソコン装置ＰＣとの間の２つの呼が接続され、制御部１１は、それぞれの呼による異なるセッションを管理する。
【００７９】
次に、制御部１１は、映像符号化制御部１７ｅを制御して、映像符号化部１７ｃによって符号化された映像データの送信先をパソコン装置ＰＣに変更させる。更に、映像復号制御部１８ｄを制御して、映像復号部１８ｂが受信する映像データの送信元をパソコン装置ＰＣに変更させる（ステップＳ１１１ｆ）。
【００８０】
その後直ちに、または、送信先をパソコン装置ＰＣに変更された映像データが通信網ＮＷへ送信された後、または、その映像データが通信網ＮＷへ送信されてから所定の時間が経過の後、制御部１１は、上記切り替え完了の通知を第２の移動通信端末に送信して（ステップＳ１１１ｇ）、制御動作を終了する（ステップＳ１１１ｈ）。
【００８１】
ステップＳ１１１ｆの制御を受けた映像符号化制御部１７ｅと、映像復号制御部１８ｄとの動作を説明する。映像符号化制御部１７ｅは、映像符号化部１７ｃによって符号化された映像データが短い経過時間の後にパソコン装置ＰＣの表示部１５に表示されるように、また、その映像データが第２の移動通信端末装置ＭＳ２の表示部１５及びパソコン装置ＰＣの表示部１５のいずれにも表示されない時間を短くするように、以下の動作を行う。この動作は、第２の移動通信端末装置ＭＳ２及びパソコン装置ＰＣを使用している使用者に上記切り替えの際に違和感を与えないためである。
【００８２】
第１の移動通信端末装置ＭＳ１の映像符号化制御部１７ｅは、リフレッシュ方式管理部１７ｉからの通知により、映像データ符号化部１７ｇが符号化された映像データのリフレッシュをフレーム単位で行っているか、マクロブロック単位で行っているかを判断する。フレーム単位で行っていると判断された場合、以下の４つの動作のいずれかを行う。なお、これらの４つの動作は、必ずしも排他的ではない。排他的でない複数の動作を行っても良い。
【００８３】
第１に、映像符号化制御部１７ｅは、所定の時間に渡り、映像データ選択部１７ｈを制御して、第２の移動通信端末装置ＭＳ２と、パソコン装置ＰＣとの両方に映像データを送信させるべく、送受信部１３に送らせる。これらの装置へ送る映像データの符号化の形式が異なるなら、更に、映像データ符号化部１７ｇを制御して、それぞれの装置へ送る映像データを作成させる。
【００８４】
上記所定の時間は、伝送帯域遅延管理部１３ｅからの通知によって、第２の移動通信端末装置ＭＳ２との通信、及び、パソコン装置ＰＣとの通信に係る遅延時間を得て、その遅延時間から決定される。
【００８５】
この第１の動作によれば、映像データが第２の移動通信端末装置ＭＳ２の表示部１５及びパソコン装置ＰＣの表示部１５の両方に表示されない時間がない。なお、この第１の動作は、伝送帯域遅延管理部１３ｅからの通知によって、伝送帯域に余裕があると判断された場合に行う。更に、それぞれの装置へ送る映像データが異なるなら、映像データ符号化部１７ｇに２通りの符号化の性能があると判断された場合に行う。
【００８６】
第２に、映像符号化制御部１７ｅは、映像データ符号化部１７ｇを制御して、次に符号化するフレームをフレーム内符号化させる。この第２の動作によれば、パソコン装置ＰＣは、直ちに乱れのない表示を表示部１５に行うことができる。即ち、フレーム内符号化された映像データが受信される前にフレーム間符号化された映像データが受信された場合、そのフレーム間符号化された映像データは、正常に表示することができないことにより表示開始が遅れる、または、乱れた表示となる問題が生じない効果が得られる。
【００８７】
なお、映像符号化制御部１７ｅは、この第２の動作を伝送帯域遅延管理部１３ｅからの通知によって、伝送帯域に余裕があると判断された場合に行う。なぜなら、フレーム内符号化された映像データは、フレーム間符号化された映像データよりもビット数が多いからである。
【００８８】
一方、伝送帯域に余裕がないと判断された場合、映像符号化制御部１７ｅは、映像データ符号化部１７ｇを制御して、次にフレーム内符号化されるフレームに至るまでの間、フレームを符号化させない。または、常に直前のフレームと同じである旨のフレーム間符号化をさせる。
【００８９】
なぜなら、この間のフレームをフレーム間符号化させても、パソコン装置ＰＣはそのフレームが符号化された映像データを正常に表示することができないので、その符号化は無用だからである。そして、この処理によって、映像データ符号化部１７ｇの負荷を減らし、通信網ＮＷの通信の輻輳を防ぐ効果が得られる。
【００９０】
第３に、映像符号化制御部１７ｅは、映像データ選択部１７ｈを制御して、符号化映像データバッファ１７ｋに記憶された符号化映像データ、即ち、第２の移動通信端末装置ＭＳ２に送信されたデータであって、直近の過去にフレーム内符号化された映像データをパソコン装置ＰＣに送信させるべく、送受信部１３に送らせる。更に、その映像データ以降の映像データ（フレーム間符号化されている。）をパソコン装置ＰＣに送信させるべく、送受信部１３に送らせる。
【００９１】
なお、映像符号化制御部１７ｅは、この第３の動作を、映像符号化制御部１７ｅが制御部１１からステップＳ１１１ｆの制御を受けた際の映像フレーム時刻とリフレッシュ周期との通知を映像フレーム時刻管理部１７ｊから受け、それらの値によって適切と判断された際に行う。
【００９２】
即ち、映像フレーム時刻をリフレッシュ周期で除した商（映像フレーム時刻÷リフレッシュ周期）が所定の値より小さい（０に近い。）場合、映像符号化制御部１７ｅは、第３の動作を行う。なぜなら、この商が小さい場合、遠くない過去の映像データを送信するのであり、新たに符号化され、送信される映像データとの時間的差が少なく、パソコン装置ＰＣは、スムースに表示を連続させることができ、使用者に違和感を与えることがない。しかし、この商が大きい（１に近い。）場合、送信するデータ量が多いにも係らず、上記時間的差が大きく、スムースに表示を連続させることが困難だからである。
【００９３】
なお、直近の過去にフレーム内符号化された映像データのみをパソコン装置ＰＣに送信させる場合、上記所定の値は、大きくとも良い。１つの符号化された映像データのみの送信であれば、上記所定の値が大きくとも、送信するデータ量は変化しないからである。なお、１つの符号化された映像データのみの送信であれば、パソコン装置ＰＣは、スムースに表示を連続させることができない可能性があるが、使用者に与える違和感を軽減することができる。
【００９４】
第４に、映像符号化制御部１７ｅは、制御部１１に要求して、ステップＳ１１１ｆの映像符号化制御部１７ｅ及び映像復号制御部１８ｄの制御の後、ステップＳ１１１ｇの第２の移動通信端末装置ＭＳ２に切り替え完了の通知を送信するまでの間に所定の待ち時間を置かせる。この第４の動作により、第２の移動通信端末装置ＭＳ２は、所定の待ち時間の間、第１の移動通信端末装置ＭＳ１との間で映像データの送受を継続する。そこで、第１の移動通信端末装置ＭＳ１及び第２の移動通信端末装置ＭＳ２は、表示部１５に映像を表示し続けるので、それぞれの装置の使用者に違和感を与えない。
【００９５】
一方、リフレッシュ方式管理部１７ｉからの通知により、映像データ符号化部１７ｇが符号化された映像データのリフレッシュをマクロブロック単位で行っていると判断された場合、映像符号化制御部１７ｅは、上記説明した符号化された映像データのリフレッシュをフレーム単位で行っていると判断された場合と同様の動作をするが、以下の点で異なる。
【００９６】
即ち、第２の動作で、映像符号化制御部１７ｅは、映像データ符号化部１７ｇを制御して、少なくとも全てのマクロブロックがフレーム内符号化されるまでの間、リフレッシュ周期を短くさせる。言い換えると、各フレームを符号化する際、より多くのマクロブロックをフレーム内符号化させる。
【００９７】
ここで、映像符号化制御部１７ｅは、映像データ符号化部１７ｇを制御して、その際の映像フレーム時刻に係らず、映像フレーム時刻をリセットする、即ち、０に設定し、次に符号化されるフレーム以降で、フレーム内符号化されるマクロブロックを、フレームの異なる部分が所定の順で選択されたものとさせるが、これに限るものではない。例えば、映像フレーム時刻をリセットせず、次回以降に符号化されるフレームで、フレーム内符号化される予定であったマクロブロックの順を維持したまま、より多くのマクロブロックをフレーム内符号化させても良い。
【００９８】
また、映像フレーム時刻をリセットすることができず、かつ、映像フレーム時刻が０であるタイミングでのみリフレッシュ周期の変更が可能である場合、映像符号化制御部１７ｅは、映像データ符号化部１７ｇを制御して、リフレッシュ周期を変更せずに符号化を継続させ、次に映像フレーム時刻が０になった際に、リフレッシュ周期を短くさせる。
【００９９】
または、映像符号化制御部１７ｅは、映像データ符号化部１７ｇを制御して、一旦符号化動作を終了させ、改めて短いリフレッシュ周期を指定して符号化を開始させる。または、映像フレーム時刻をリフレッシュ周期で除した商（映像フレーム時刻÷リフレッシュ周期）が大きい（１に近い。）場合、次に映像フレーム時刻が０になった際に、リフレッシュ周期を短くさせ、その商が小さい（０に近い。）場合、改めて符号化を開始させても良い。その商が大きい場合、短い時間で短いリフレッシュ周期による符号化が開始されるので、改めて符号化を開始させる負荷を発生させることによる効果は低いからである。
【０１００】
更には、映像符号化制御部１７ｅは、映像データ符号化部１７ｇを制御して、リフレッシュ周期を最短にさせる、即ち、少なくとも１つのフレームは、全てのマクロブロックをフレーム内符号化させても良い。この全てのマクロブロックをフレーム内符号化させる動作は、符号化された映像データのリフレッシュをフレーム単位で行っていると判断された場合の第２の動作、即ち、次に符号化するフレームをフレーム内符号化させる動作と結果的に同じである。
【０１０１】
また、第３の動作で、符号化映像データバッファ１７ｋに記憶された符号化映像データに、フレーム内符号化された映像データは含まれていない可能性が高いので、映像符号化制御部１７ｅは、映像データ選択部１７ｈを制御して、符号化映像データバッファ１７ｋに記憶された符号化映像データであって、直近の過去に符号化された所定個数の映像データを、符号化された順にパソコン装置ＰＣに送信させるべく、送受信部１３に送らせる。なお、この所定個数は、図１１を参照して説明した、映像フレーム周期に対応するマクロブロックのグループの数を超える必要はない。
【０１０２】
更に、第１の移動通信端末装置ＭＳ１の映像復号制御部１８ｄは、第２の移動通信端末装置ＭＳ２から送信された映像データ及びパソコン装置ＰＣから送信された映像データのいずれもが表示部１５に表示されない時間を少なくするため、以下の動作を行う。この動作は、第１の移動通信端末装置ＭＳ１の使用者に上記切り替えの際の違和感を与えないためである。
【０１０３】
映像復号制御部１８ｄは、パソコン装置ＰＣから送信された符号化された映像データが送受信部１３を経て受信されるまでは、映像データ復号部１８ｅを制御して、第２の移動通信端末装置ＭＳ２から送信された符号化された映像データを復号させる。
【０１０４】
そして、パソコン装置ＰＣから送信された符号化された映像データが送受信部１３を経て受信されると、映像復号制御部１８ｄは、映像データ復号部１８ｅを制御して、その映像データを復号させる。そして、第２の移動通信端末装置ＭＳ２から送信された符号化された映像データを復号させない。その映像データが映像データ復号部１８ｅ内にあれば、その映像データを削除させる。
【０１０５】
また、パソコン装置ＰＣから送信された符号化された映像データ及び第２の移動通信端末装置ＭＳ２から送信された符号化された映像データのいずれもが受信されない場合、映像復号制御部１８ｄは、映像データ出力部１８ｆを制御して、最後に復号され、表示部１５に表示された映像の表示を続けさせる。
【０１０６】
なお、図１８を参照した説明では、制御部１１は、ステップＳ１１１ｆでパソコン装置ＰＣとの間で映像データの送受を指示した後、ステップＳ１１１ｇで第２の移動通信端末装置ＭＳ２に切り替え完了を送るとした。そこで、その間、映像データの送受信は、第２の移動通信端末装置ＭＳ２との間で接続されたものと、パソコン装置ＰＣとの間で接続されたものとの２つの呼によって行われ得る。
【０１０７】
通信網ＮＷの制約や、送受信部１３の制約によって、２つの呼によって映像データの送信が許されない場合、制御部１１は、パソコン装置ＰＣとの呼が接続された後、パソコン装置ＰＣとの映像データの送信の前に、第２の移動通信端末装置ＭＳ２に切り替え完了を送り、第２の移動通信端末装置ＭＳ２との間の映像データの送受のためのセッションを切断する。
【０１０８】
図１９は、第１の移動通信端末装置ＭＳ１と、第２の移動通信端末装置ＭＳ２とがテレビ電話中に、第２の移動通信端末装置ＭＳ２が、自らが行っていた第１の移動通信端末装置ＭＳ１との映像データの送受をパソコン装置ＰＣに切り替えて行わせる際の、パソコン装置ＰＣの制御部１１の制御動作のフローチャートを示す。
【０１０９】
パソコン装置ＰＣの制御部１１は、第１の移動通信端末装置ＭＳ１からの着信信号を受信して、第１の移動通信端末装置ＭＳ１との間で映像データの送受を行う動作を開始する（ステップＳ３１１ａ）。以後、図１９を参照してパソコン装置ＰＣの制御部１１の動作を説明する際、制御部１１などの各部は、特に断らない限り、パソコン装置ＰＣの各部を示す。
【０１１０】
続いて、制御部１１は、受信された着信信号に対して着呼処理して、呼を接続させ（ステップＳ３１１ｂ）、第１の移動通信端末装置ＭＳ１から送信された上記切り替えの内容を受信する（ステップＳ３１１ｃ）。そして、セッション状況１１ｂを上記切り替えが完了した状況を示すように更新する（ステップＳ３１１ｄ）。即ち、切り替え前には、情報が記憶されていないものであったが、切り替え後には、図１６に示す、第１の移動通信端末装置ＭＳ１と映像データの送受を行い、第１の移動通信端末装置ＭＳ１は、パソコン装置ＰＣ以外の装置と音声データの送受を行っている状況を示すように更新する。
【０１１１】
そして、制御部１１は、映像符号化制御部１７ｅを制御して映像符号化部１７ｃを動作させ、更に、映像復号制御部１８ｄを制御して映像復号部１８ｂを動作させて（ステップＳ３１１ｅ）、制御動作を終了する（ステップＳ３１１ｆ）。
【０１１２】
なお、映像復号制御部１８ｄは、映像復号部１８ｂを制御して、リフレッシュをフレーム単位で行っている符号化された映像データが受信された場合、フレーム内符号化された映像データを受信する前に受信されたフレーム間符号化された映像データを復号させない。
【０１１３】
また、リフレッシュをマクロブロック単位で行っている符号化された映像データが受信された場合、各マクロブロックに対して、フレーム内符号化されたデータを受信する前に受信されたフレーム間符号化されたデータを復号させない。または、全てのマクロブロックに対してフレーム内符号化されたデータが受信されるまでは、復号された映像データを映像データ出力部１８ｆに送らせない。乱れた表示や、表示部１５の一部分のみの表示を防ぐためである。
【０１１４】
なお、制御部１１は、上記の第１の移動通信端末装置ＭＳ１との通信に先だって、第２の移動通信端末装置ＭＳ２から映像データ（静止画、または、動画像。）を受信し、表示部１５に表示し、更に、第１の移動通信端末装置ＭＳ１からの符号化された映像データが受信されるまで、その表示を続けても良い。これによれば、第２の移動通信端末装置ＭＳ２の表示部１５と、パソコン装置ＰＣの表示部１５のいずれにも映像が表示されないことによる違和感を使用者に与えることがない。
【０１１５】
上記説明した１つの通信セッションで送受される情報の種類毎に相手方の通信端末装置を切り替える動作は、任意の通信種別１１ｄ単位で、即ち、任意の送受される情報の種類ごとに行うことができる。そこで、別の例として、第１の移動通信端末装置ＭＳ１と、第２の移動通信端末装置ＭＳ２とが音声データの送受を行い、第１の移動通信端末装置ＭＳ１と、パソコン装置ＰＣとが映像データの送受を行ってテレビ電話中に、映像データの送受を第１の移動通信端末装置ＭＳ１と、第２の移動通信端末装置ＭＳ２とで行うように切り替える動作を説明する。
【０１１６】
この動作は、第２の移動通信端末装置ＭＳ２からの要求によって開始され、または、パソコン装置ＰＣからの要求によって開始されるが、ここでは、第２の移動通信端末装置ＭＳ２からの要求によって開始されるとして説明する。
【０１１７】
まず、第２の移動通信端末装置ＭＳ２の制御部１１の上記切り替え動作を説明する。以後、第２の移動通信端末装置ＭＳ２の制御部１１の動作を説明する際、制御部１１などの各部は、特に断らない限り、第２の移動通信端末装置ＭＳ２の各部を示す。
【０１１８】
制御部１１は、第２の移動通信端末装置ＭＳ２の入力装置１６の所定のキー操作によって、上記切り替える動作を開始する。そして、セッション状況１１ｂ（この際、図１５に示す情報が記憶されている。）を参照して、映像データの送受は、第１の移動通信端末装置ＭＳ１と、第２の移動通信端末装置ＭＳ２以外の装置との間で行われていることを得て、上記切り替え動作が可能であると判断して、動作を続ける。
【０１１９】
次に、制御部１１は、上記切り替えの要求を第１の移動通信端末装置ＭＳ１に送信し、その要求に対して、第１の移動通信端末装置ＭＳ１から切り替え完了の通知を受信したか否かを調べる。そして、切り替え完了の通知を受信した場合、制御部１１は、セッション状況１１ｂを上記切り替えが完了した状況を示すように、即ち、図１３に示す情報に更新する。更に、映像符号化制御部１７ｅと、映像復号制御部１８ｄとを制御して、それぞれ映像符号化部１７ｃの動作を開始させ、映像復号部１８ｂの動作を開始させる。
【０１２０】
この制御部１１の動作は、図１７を参照して説明した第１の移動通信端末装置ＭＳ１と、第２の移動通信端末装置ＭＳ２とがテレビ電話中に、第２の移動通信端末装置ＭＳ２が、自らが行っていた第１の移動通信端末装置ＭＳ１との映像データの送受をパソコン装置ＰＣに切り替えて行わせる際の制御部１１の動作と同様である。
【０１２１】
次に、第１の移動通信端末装置ＭＳ１の制御部１１の上記切り替え動作を説明する。以後、第１の移動通信端末装置ＭＳ１の制御部１１の動作を説明する際、制御部１１などの各部は、特に断らない限り、第１の移動通信端末装置ＭＳ１の各部を示す。
【０１２２】
第１の移動通信端末装置ＭＳ１の制御部１１は、第２の移動通信端末装置ＭＳ２から送信された上記切り替え要求を受信して、上記切り替える動作を開始する。そして、セッション状況１１ｂ（この際、図１４に示す情報が記憶されている。）を参照して、映像データの送受は、パソコン装置ＰＣと行っていることを得て、上記切り替え動作が可能であると判断して、動作を続ける。
【０１２３】
次に、制御部１１は、セッション状況１１ｂを上記切り替えが完了した状況を示すように、即ち、図１２に示す情報に更新する。そして、映像符号化制御部１７ｅを制御して、映像符号化部１７ｃによって符号化された映像データの送信先を第２の移動通信端末装置ＭＳ２に変更させる。更に、映像復号制御部１８ｄを制御して、映像復号部１８ｂが受信する符号化された映像データの送信元を第２の移動通信端末装置ＭＳ２に変更させる。更に、上記切り替え完了の通知を第２の移動通信端末装置ＭＳ２に送信し、パソコン装置ＰＣとの呼を切断する。
【０１２４】
この制御部１１の動作は、図１８を参照して説明した第１の移動通信端末装置ＭＳ１と、第２の移動通信端末装置ＭＳ２とがテレビ電話中に、第２の移動通信端末装置ＭＳ２が、自らが行っていた第１の移動通信端末装置ＭＳ１との映像データの送受をパソコン装置ＰＣに切り替えて行わせる際の制御部１１の動作と同様である。主な相違点は、パソコン装置ＰＣとの呼の接続に代えて、パソコン装置ＰＣとの呼の切断を行うことである。
【０１２５】
次に、パソコン装置ＰＣの制御部１１の上記切り替え動作を説明する。以後、パソコン装置ＰＣの制御部１１の動作を説明する際、制御部１１などの各部は、特に断らない限り、パソコン装置ＰＣの各部を示す。
【０１２６】
パソコン装置ＰＣの制御部１１は、第１の移動通信端末装置ＭＳ１から送信された呼の切断を受信して、上記切り替える動作を開始する。そして、セッション状況１１ｂ（この際、図１６に示す情報が記憶されている。）を参照して、パソコン装置ＰＣが行っている通信は、第１の移動通信端末装置ＭＳ１との間の映像データの送受であることを得て、上記呼の切断によって、パソコン装置ＰＣは、セッション識別子１１ｃが「１」であるセッションから外れると判断して、動作を続ける。
【０１２７】
次に、制御部１１は、セッション状況１１ｂからセッション識別子１１ｃが「１」であるセッションに係る全ての情報を削除して、更新する。そして、映像符号化制御部１７ｅ及び映像復号制御部１８ｄを制御して、それぞれ映像符号化部１７ｃと、映像復号部１８ｂとの動作を停止させる。
【０１２８】
この制御部１１の動作は、図１９を参照して説明した第１の移動通信端末装置ＭＳ１と、第２の移動通信端末装置ＭＳ２とがテレビ電話中に、第２の移動通信端末装置ＭＳ２が、自らが行っていた第１の移動通信端末装置ＭＳ１との映像データの送受をパソコン装置ＰＣに切り替えて行わせる際の制御部１１の動作と同様である。主な相違点は、着呼に代えて、呼の切断を行うことである。
【０１２９】
次に、第１の移動通信端末装置ＭＳ１と、第２の移動通信端末装置ＭＳ２とが音声データの送受を行い、第１の移動通信端末装置ＭＳ１と、パソコン装置ＰＣとが映像データの送受を行ってテレビ電話中の、そのテレビ電話のセッション終了の動作を説明する。
【０１３０】
セッション終了動作は、第１の移動通信端末装置ＭＳ１、第２の移動通信端末装置ＭＳ２及びパソコン装置ＰＣの中のいずれの装置から開始されても良い。そして、いずれかの装置の入力装置１６の所定のキー操作によって動作を開始し、その装置の制御部１１は、自装置の映像符号化制御部１７ｅ、映像復号制御部１８ｄ、音声符号化制御部１７ｍ及び音声復号制御部１８ｇを制御して、自装置で行っている映像データ送受信及び音声データ送受信を全て停止させる。そして、セッション状況１１ｂを参照して、自装置が上記テレビ電話の通信している装置にセッション終了を通知した後、上記テレビ電話に係る呼を切断する。更に、セッション状況１１ｂを上記テレビ電話のセッションに係る情報を削除して更新する。
【０１３１】
他の装置からセッション終了の通知を受信した装置は、自装置の映像符号化制御部１７ｅ、映像復号制御部１８ｄ、音声符号化制御部１７ｍ及び音声復号制御部１８ｇを制御して、自装置で行っている映像データ送受信及び音声データ送受信を全て停止させる。そして、セッション状況１１ｂを参照して、自装置が上記テレビ電話の通信している装置であって、セッション終了の通知を送信した装置以外の装置にセッション終了を通知した後、上記テレビ電話に係る呼を切断する。更に、セッション状況１１ｂを上記テレビ電話のセッションに係る情報を削除して更新する。
【０１３２】
以上の説明は、本発明を移動通信端末装置及びパソコン装置に適用した形態を例にとって行った。しかし、本発明の適用は、これらの装置に限るものではない。また、パソコン装置ＰＣは、音声データの送受を行わないとしたが、同様に、本発明は、少なくともいずれか１種のデータの送信または受信が可能である装置に適用することが可能である。例えば、本発明は、映像データ及び音声データの受信及び出力が可能であって、映像データ及び音声データの入力及び送信が不可能なテレビ受像機に適用されても良い。
【０１３３】
以上の説明は、第１の移動通信端末装置ＭＳ１と、第２の移動通信端末装置ＭＳ２とがテレビ電話中に、第２の移動通信端末装置ＭＳ２が、自らが行っていた第１の移動通信端末装置ＭＳ１との映像データの送受をパソコン装置ＰＣに切り替えて行わせる動作を例に行った。また、その動作の後、映像データの送受を第１の移動通信端末装置ＭＳ１と、第２の移動通信端末装置ＭＳ２とで再び行うように切り替える動作を例に行った。
【０１３４】
しかし、本発明の適用は、これらに限るものではない。即ち、通信種別１１ｄが示す４つの情報の中の任意個を異なる装置に切り替えて行わせても良い。また、第２の移動通信端末装置ＭＳ２が行っている通信に限らず、第１の移動通信端末装置ＭＳ１が行っている通信であって、通信種別１１ｄが示す４つの情報の一部を異なる装置に切り替えても良い。
【０１３５】
なお、以上の説明で用いた切り替えの後、第１の移動通信端末装置ＭＳ１が行っている映像データの送受を第３の移動通信端末装置（図示せず）に切り替えた場合、映像データは、第３の移動通信端末装置と、パソコン装置ＰＣとの間で送受され、音声データは、第１の移動通信端末装置ＭＳ１と、第２の移動通信端末装置ＭＳ２との間で送受されるので、映像データと、音声データの両方の送受に係る装置はない。
【０１３６】
そこで、例えば、映像データの送受に係る装置は、通信種別１１ｄが「音声送信」と、「音声受信」である相手方通信端末装置１１ｅには、「（別装置）」と記憶させず、音声データの送受に係る装置を識別する情報とを記憶させる。これによって、例えば、テレビ電話のセッション終了処理を行うことができる。
【０１３７】
以上の説明は、送受される情報は、映像データ及び音声データであるとしたが、これに限るものではない。例えば、更に文字データの送受が行われていても良い。
【０１３８】
以上の説明は、第１の移動通信端末装置ＭＳ１と、第２の移動通信端末装置ＭＳ２とは、移動通信網ＮＷ１に接続され、パソコン装置ＰＣは、インターネット網ＮＷ２に接続されているとした。しかし、これに限るものではない。第１の移動通信端末装置ＭＳ１と、第２の移動通信端末装置ＭＳ２と、パソコン装置ＰＣとは、通信網ＮＷに接続されていれば良く、移動通信網ＮＷ１に接続されているか、また、インターネット網ＮＷ２に接続されているかを問わない。
【０１３９】
第ｉの移動通信端末装置ＭＳｉがインターネット網ＮＷ２に接続される場合、第ｉの移動通信端末装置ＭＳｉは、例えば、ＷＬＡＮ（Wireless Local Area Network）接続部（図示せず）を有し、ＷＬＡＮ部を介してインターネット網ＮＷ２に接続される。また、パソコン装置ＰＣが移動通信網ＮＷ１に接続される場合、パソコン装置ＰＣは、移動通信網通信部（図示せず）を有し、移動通信網通信部を介して移動通信網ＮＷ１に接続される。
【０１４０】
また、本発明の実施の形態に係る通信システムは、通信網ＮＷに接続されたＳＩＰ（Session Initiation Protocol）サーバ装置（図示せず）を有する構成であっても良い。ＳＩＰサーバ装置は、第１の移動通信端末装置ＭＳ１、第２の移動通信端末装置ＭＳ２及びパソコン装置ＰＣの間の呼の接続関係と、装置間で送受される情報の種別を記憶する。即ち、各装置のセッション状況１１ｂを統合した情報を記憶する。
【０１４１】
そこで、第１の移動通信端末装置ＭＳ１、第２の移動通信端末装置ＭＳ２及びパソコン装置ＰＣは、セッション識別子１１ｃを記憶し、セッション識別子１１ｃを指定してＳＩＰサーバ装置に問い合わせることによって、セッション状況１１ｂを参照することと同じ情報が得られる。そして、複数の呼の管理や、複数のセッションの管理は不要となる。更に、例えば、セッション識別子１１ｃをＳＩＰサーバ装置に通知することによって、セッション識別子１１ｃで識別されるセッションを終了させることができる。
【０１４２】
また、通信網ＮＷがインターネット網ＮＷ２からなる場合、ＳＩＰサーバ装置を有するとし、通信網ＮＷが移動通信網ＮＷ１からなる場合、ＳＩＰサーバ装置は、移動通信網ＮＷ１を運営する移動通信事業者が管理する装置であっても良い。
【０１４３】
また、本発明の実施の形態に係る通信システムは、ＳＩＰサーバ装置に加えて、通信網ＮＷに接続されたデータ転送を行うメディアサーバ装置（図示せず）を有する構成であっても良い。メディアサーバ装置は、第１の移動通信端末装置ＭＳ１、第２の移動通信端末装置ＭＳ２及びパソコン装置ＰＣから送信された映像データ及び音声データをＳＩＰサーバ装置に問い合わせた上、第１の移動通信端末装置ＭＳ１、第２の移動通信端末装置ＭＳ２及びパソコン装置ＰＣの中の適切な装置に転送する。
【０１４４】
また、メディアサーバ装置は、上記説明した、切り替えの際に装置の使用者に違和感を与えないように、映像が表示されない時間を短くする処理を行う。なお、メディアサーバ装置は、ＳＩＰサーバ装置と同じ装置が兼ねても良い。
【０１４５】
以上の説明で、第１の移動通信端末装置ＭＳ１と、第２の移動通信端末装置ＭＳ２とがテレビ電話中に、第２の移動通信端末装置ＭＳ２が、自らが行っていた第１の移動通信端末装置ＭＳ１との映像データの送受をパソコン装置ＰＣに切り替えて行わせる際、パソコン装置ＰＣを識別する情報は、第２の移動通信端末装置ＭＳ２の入力装置１６の所定のキー操作によって得られるとした。そして、その情報がパラメータとして第１の移動通信端末装置ＭＳ１に送信され、第１の移動通信端末装置ＭＳ１の制御部１１がパソコン装置ＰＣとの通信を行うために用いられるとしたが、これに限るものではない。
【０１４６】
第１の移動通信端末装置ＭＳ１の制御部１１は、以下のような手段によってパソコン装置ＰＣを識別する情報を得ても良い。第１に、第１の移動通信端末装置ＭＳ１の制御部１１は、第１の移動通信端末装置ＭＳ１の入力装置１６の所定のキー操作によってパソコン装置ＰＣを識別する情報を得る。そして、その得られた情報を、第２の移動通信端末装置ＭＳ２を識別する情報と関連づけて、制御部１１内に予め記憶する。
【０１４７】
第２に、第１の移動通信端末装置ＭＳ１の制御部１１は、第２の移動通信端末装置ＭＳ２から送信されたパソコン装置ＰＣを識別する情報を受信し、その受信された情報を、第２の移動通信端末装置ＭＳ２を識別する情報と関連づけて、制御部１１内に予め記憶する。
【０１４８】
第３に、通信網ＮＷに接続された切り替え情報サーバ装置（図示せず）は、第２の移動通信端末装置ＭＳ２を識別する情報と、パソコン装置ＰＣを識別する情報とを関連付けて記憶する。そして、第１の移動通信端末装置ＭＳ１の制御部１１は、切り替え情報サーバ装置に要求して、その関連付けられた情報を得て、制御部１１内に予め記憶する。
【０１４９】
第４に、第１の移動通信端末装置ＭＳ１の制御部１１は、パソコン装置ＰＣとの通信を行う際、切り替え情報サーバ装置に要求して、その関連付けられた情報を得る。なお、切り替え情報サーバ装置は、ＳＩＰサーバ装置が兼ねても良く、また、メディアサーバ装置が兼ねても良い。
【０１５０】
以上の説明は、第ｉの移動通信端末装置ＭＳｉは、音声通話を行う通話部１４ｃ等と、テレビ電話を行う符号化部１７及び復号部１８等を有するとしたが、これに限るものではない。音声通話を行う通話部１４ｃ等を有さず、テレビ電話で映像の送受信を停止することによって音声通話を行っても良い。
【０１５１】
また、音声通話を行う部分と、テレビ電話を行う部分を有し、スピーカ１４ａとスピーカ１８ａとを１つのスピーカで兼用しても良い。マイクロフォン１４ｂと、マイクロフォン１７ｂとを１つのマイクロフォンで兼用しても良い。本発明は以上の構成に限定されるものではなく、種々の変形が可能である。
【図面の簡単な説明】
【０１５２】
【図１】本発明の実施形態に係る通信端末装置が含まれた通信システムの構成を示すブロック図。
【図２】本発明の実施形態に係る移動通信端末装置の構成を示すブロック図。
【図３】本発明の実施形態に係る移動通信端末装置の送受信部の構成を示すブロック図。
【図４】本発明の実施形態に係る移動通信端末装置の符号化部の構成を示すブロック図。
【図５】本発明の実施形態に係る移動通信端末装置の復号部の構成を示すブロック図。
【図６】本発明の実施形態に係るパソコン装置の構成を示すブロック図。
【図７】本発明の実施形態に係るパソコン装置の送受信部の構成を示すブロック図。
【図８】本発明の実施形態に係るパソコン装置の映像符号化部の構成を示すブロック図。
【図９】本発明の実施形態に係るパソコン装置の映像復号部の構成を示すブロック図。
【図１０】本発明の実施形態に係る映像フレーム時刻管理部が把握するリフレッシュ周期及び映像フレーム時刻を説明する図（映像データのリフレッシュをフレーム単位で行う場合）。
【図１１】本発明の実施形態に係る映像フレーム時刻管理部が把握するリフレッシュ周期及び映像フレーム時刻を説明する図（映像データのリフレッシュをマクロブロック単位で行う場合）。
【図１２】本発明の実施形態に係るセッション状況の構成を示す図（第１の例）。
【図１３】本発明の実施形態に係るセッション状況の構成を示す図（第２の例）。
【図１４】本発明の実施形態に係るセッション状況の構成を示す図（第３の例）。
【図１５】本発明の実施形態に係るセッション状況の構成を示す図（第４の例）。
【図１６】本発明の実施形態に係るセッション状況の構成を示す図（第５の例）。
【図１７】本発明の実施形態に係る第２の移動通信端末装置の制御部の制御動作のフローチャート（第２の移動通信端末装置が行っていた映像データの送受をパソコン装置に切り替えて行わせる場合）。
【図１８】本発明の実施形態に係る第１の移動通信端末装置の制御部の制御動作のフローチャート（第２の移動通信端末装置が行っていた映像データの送受をパソコン装置に切り替えて行わせる場合）。
【図１９】本発明の実施形態に係るパソコン装置の制御部の制御動作のフローチャート（第２の移動通信端末装置が行っていた映像データの送受をパソコン装置に切り替えて行わせる場合）。
【符号の説明】
【０１５３】
ＭＳ１  第１の移動通信端末装置
ＭＳ２  第２の移動通信端末装置
ＰＣ  パソコン装置
ＮＷ  通信網
ＮＷ１  移動通信網
ＮＷ２  インターネット網
１１  制御部
１１ａ  セッション状況記憶部
１１ｂ  セッション状況
１１ｃ  セッション識別子
１１ｄ  通信種別
１１ｅ  相手方通信端末装置
１３  送受信部
１３ａ  送信部
１３ｂ  受信部
１３ｃ  ネットワーク送信部
１３ｇ  ネットワーク受信部
１３ｅ  伝送帯域遅延管理部
１７  符号化部
１７ｃ、３７  映像符号化部
１７ｄ  音声符号化部
１７ｅ  映像符号化制御部
１７ｆ  映像データ入力部
１７ｇ  映像データ符号化部
１７ｈ  映像データ選択部
１７ｉ  リフレッシュ方式管理部
１７ｊ  映像フレーム時刻管理部
１７ｋ  符号化映像データバッファ
１７ｍ  音声符号化制御部
１７ｎ  音声データ入力部
１７ｏ  音声データ符号化部
１８  復号部
１８ｂ、３８  映像復号部
１８ｃ  音声復号部
１８ｄ  映像復号制御部
１８ｅ  映像データ復号部
１８ｆ  映像データ出力部
１８ｇ  音声復号制御部
１８ｈ  音声データ復号部
１８ｉ  音声データ出力部
３２  インターネット網通信部
【図１】
2008311855.tif 000003
【図２】
2008311855.tif 000004
【図３】
2008311855.tif 000005
【図４】
2008311855.tif 000006
【図５】
2008311855.tif 000007
【図６】
2008311855.tif 000008
【図７】
2008311855.tif 000009
【図８】
2008311855.tif 000010
【図９】
2008311855.tif 000011
【図１０】
2008311855.tif 000012
【図１１】
2008311855.tif 000013
【図１２】
2008311855.tif 000014
【図１３】
2008311855.tif 000015
【図１４】
2008311855.tif 000016
【図１５】
2008311855.tif 000017
【図１６】
2008311855.tif 000018
【図１７】
2008311855.tif 000019
【図１８】
2008311855.tif 000020
【図１９】
2008311855.tif 000021